(57)【要約】      （修正有）【課題】乳幼児や座った姿勢を保つ状態まで身体が座らない幼児などを、子供用の椅子から大人用の椅子に対して、前向き抱っこの状態で保持させることができ、しかも、使用者が幼児を保持するときの保持安定性がさらに図られたベビーキャリアを提供する。【解決手段】幼児の尻から背中に掛けて包み込むように保持するためのキャリア本体１と、このキャリア本体１の上端両側に一端側が取り付けられ、他端側がキャリア本体１の両側に雄雌一対のバックル８ａ，８ｂを介して係脱自在に連結される左右の肩掛けベルト２と、キャリア本体１の下端両側に一端側が取り付けられ、他端側が雄雌一対のバックル１１ａ，１１ｂを介して互いに係脱自在に連結される腰ベルト３を備えている。【選択図】図１
0003154408.tif 000002
【実用新案登録請求の範囲】
【請求項１】
幼児を包み込むように保持するキャリア本体と、
このキャリア本体の上端両側に一端側が取り付けられる左右の肩掛けベルトと、
前記キャリア本体の下端両側に一端側が取り付けられて、他端側がバックルを介して係脱自在に連結され、かつ、長さ調節自在に形成されている腰ベルトと、を備え、
前記左右の肩掛けベルトは、他端側が前記キャリア本体の両側にバックルを介してそれぞれ係脱自在に連結されているとともに、長さ調節自在に形成されていることを特徴とするベビーキャリア。
【請求項２】
前記キャリア本体が、幼児を保持する補助ベルトを備えていること特徴とする請求項１に記載のベビーキャリア。
【請求項３】
幼児を保持した状態で、使用者の背中において略Ｘ字状に交差する前記左右の肩掛けベルトの当該交差部分を、略リング形状に形成されている連結部材を介してリング方向に移動可能にそれぞれ連結し、
かつ、前記キャリア本体の両側に、前記バックルを介して一端側がそれぞれ係脱自在に連結される左右の連結ベルトをさらに備え、この左右の連結ベルトの他端側を、前記連結部材に対してリング方向に移動可能にそれぞれ連結してなることを特徴とする請求項１または請求項２に記載のベビーキャリア。
【請求項４】
前記左右の肩掛けベルトの一端側が、前記キャリア本体の上端両側に調節具を介してそれぞれ長さ調節自在に取り付けられていることを特徴とする請求項１〜請求項３のいずれか１項に記載のベビーキャリア。
【考案の詳細な説明】
【技術分野】
【０００１】
本考案は、肩掛けベルトを備えているベビーキャリアに係り、特に、幼児を前側抱っこ（対面抱っこや前向き抱っこ）の状態で保持するベビーキャリアに関する。
【背景技術】
【０００２】
肩掛けベルトを備えて幼児を前側抱っこの状態で保持し得るように形成されているベビーキャリアは、種々の形態が提案されている（例えば、特許文献１から特許文献３などを参照）。
例えば、特許文献１に記載されているベビーキャリアの場合では、背当て部と股当て部を有し、この背当て部と股当て部を幼児の尻から背中に当てて保持する対面抱っこ、そして、背当て部を幼児の尻から胸腹部に当てて保持する前向き抱っこの状態で幼児を保持するキャリア本体と、このキャリア本体の背当て部の上端側に一端側が縫着され、他端側が股当て部に係脱自在に連結される肩掛けベルトを備えた構成としている。
このように構成されているベビーキャリアは、買い物などの外出するときに主に使用され、幼児を前側抱っこの状態で保持することができる。これにより、幼児を抱っこしていないときと同じく、使用者は両手が開いているために、両手で買い物袋などを持つことができる。
【先行技術文献】
【特許文献】
【０００３】
【特許文献１】特開２００１−７０１０７号公報
【特許文献２】特開２００３−１００１０号公報
【特許文献３】特開２００５−１２０５５２号公報
【考案の概要】
【考案が解決しようとする課題】
【０００４】
ところで、外出先では、乳幼児の場合はミルクを飲ませる。そして、お子様ランチなどの通常の食事を取る幼児の場合にはレストランや買い物先のショッピングセンターなどの外食店において食事を与え、使用者自身も食事を取るときなどに、身体からベビーキャリアを外し、お店に準備されている子供用の椅子などに幼児を座らせるなどによって対応している。
しかしながら、お店が子供用として準備している椅子は、幼児自身が座った姿勢を保つことができる状態まで身体が座った幼児においては使用することが可能であるが、この状態まで身体が座らない乳幼児などは椅子を使うことができないために、使用者である親などが幼児を片腕などで抱っこしながら食事を取らなければならない。
【０００５】
そこで、本考案は、前記課題を解消するために創案されたものであり、幼児を前側抱っこの状態などで保持するベビーキャリアであって、乳幼児や座った姿勢を保つ状態まで身体が座らない幼児などを前向き抱っこの状態で保持するように子供用の椅子から大人用の椅子に対して装着することができ、しかも、使用者が幼児を保持するときの保持安定性がさらに図られたベビーキャリアを提供することにある。
【課題を解決するための手段】
【０００６】
前記課題を解決するために、本考案では、幼児を尻から背中にかけて包み込むように保持するキャリア本体と、このキャリア本体の上端両側に一端側が取り付けられる左右の肩掛けベルトと、前記キャリア本体の下端両側に一端側が取り付けられて、他端側がバックルを介して係脱自在に連結され、かつ、長さが調節自在に形成されている腰ベルトと、を備え、
前記左右の肩掛けベルトは、その他端側が前記キャリア本体の両側にバックルを介してそれぞれ係脱自在で連結されるとともに、長さ調節自在に形成されていることを特徴とする。
【０００７】
ここで、前記キャリア本体が、幼児の上半身を保持する補助ベルトを備えているこが好適なものとなる。
【０００８】
このような構成によれば、周知のように、幼児をキャリア本体で包み込むように保持し、肩掛けベルトを使用者の両肩から背中へと掛け渡し、腰ベルトを腰部に巻きつけるように装着することで、幼児を前側抱っこ（対面抱っこや前向き抱っこ）の状態で保持することができる。この前側抱っこの状態で、キャリア本体に保持される幼児は、補助ベルトによってキャリア本体に支えられる。
これにより、幼児をより安全、安定性よく保持することができる。
つまり、幼児を包み込むように保持するキャリア本体は、肩掛けベルトによる上下２点支持と、腰ベルトによる１点支持との片側３点、両側計６点支持によって使用者の身体に支持されることとなり、幼児の保持安定性がより高く図られる。
【０００９】
そして、外出先などにおいて、キャリア本体を身体から外し、外食店などにおいて子供用の椅子や大人用の椅子に幼児を座らせるときには、左右の肩掛けベルトを椅子の背凭れ上辺部から背後（後側）へと掛け渡し、腰ベルトを背凭れに巻き付けるように装着する。この際、肩掛けベルトの他端側をキャリア本体に係脱自在に連結するバックルの肩掛けベルトの長さ方向に対する定着位置を変えることで、キャリア本体の上端両側の取付部（縫着部）からの肩掛けベルトの長さを調節可変し、また、腰ベルトの他端側を係脱自在に連結するバックルの腰ベルトの長さ方向に対する定着位置を変えることで、キャリア本体の下端両側からの腰ベルトの連結ループ長さを調節可変する。
これにより、幼児を椅子の背凭れに、前向き抱っこの状態で保持させることができる。
【００１０】
また、本考案では、幼児を保持した状態で、使用者の背中において略Ｘ字状に交差される前記左右の肩掛けベルトの当該交差部分を、略リング形状に形成されている連結部材を介してリング方向に移動可能にそれぞれ連結し、かつ、前記キャリア本体の両側に、前記バックルを介して一端側が係脱自在に連結される左右の両連結ベルトをさらに備え、この左右の両連結ベルトの他端側を、前記連結部材に対してリング方向に移動可能にそれぞれ連結してなることが好適なものとなる。この場合、前記左右の肩掛けベルトの一端側が、前記キャリア本体の上端両側に貼設具を介して長さ調節自在に取り付けられていることがより好適なものとなる。
【００１１】
このような構成によれば、使用者の両肩から背中へとそれぞれ掛けられる左右の肩掛けベルトと使用者の腹部や腰部分から背中へとそれぞれ回される連結ベルトは、略Ｘ字状に交差する背中の略中央部位において略リング形状の連結部材に連結されていることで、幼児を前側抱っこの状態において、左右の肩掛けベルトが使用者の肩から不用意にずり落ちることはなくなる。
しかも、左右の肩掛けベルトと左右の連結ベルトは、連結部材に対してリング方向に移動可能にそれぞれ連結されていることで、使用者の体格、特に肩幅が広い人や狭い人などのように違いがあっても、体格に応じて左右の肩掛けベルトと左右の連結ベルトとは連結部材のリング方向に沿って移動することで、体格に応じた適切な状態で装着することができる。
そして、前記のように、外食店などにおいて子供用の椅子や大人用の椅子に幼児を座らせるときには、キャリア本体の上端両側に調節具を介して取り付けられている左右の肩掛けベルトの一端側の調節具に対する長さ方向の定着位置を調節可変して、調節具から連結部材に至る肩掛けベルトの長さを、子供用の椅子や大人用の椅子の背凭れ高さに合わることで、肩掛けベルトが弛むことなく、幼児を子供用の椅子から大人用の椅子の背凭れに対してしっかりと保持させることができる。
【考案の効果】
【００１２】
本考案に係るベビーキャリアは以上のように構成されていることで、使用者が前側抱っこ（対面抱っこや前向き抱っこ）で幼児を保持するときには、従来技術に比べて保持安定性が図られる。そして、外出先などで食事を取るときなどには、外食店などの子供用の椅子から大人用の椅子に対して、幼児を前向き抱っこ状態で保持させることができる。
これにより、使用者は外食店においても安心して食事することができる。また、住居（自宅）などにおいて食事の準備などをするときに、ダイニングなどの椅子に幼児を保持させておくことができる。
このように、本考案によれば、キャリア本来の前側抱っこ状態での保持安定性をさらに向上させた上で、子供用の椅子から大人用の椅子に対して幼児を前向き抱っこの状態で保持させることができるなどの汎用性の高いベビーキャリアを提供することができる。
【００１３】
また、本考案によれば、使用者の肩から不用意にずり落ちる心配もなく、しかも、肩掛けベルトは使用者の肩幅に応じて広く、狭く、そして連結ベルトは胴周りに応じて広く、狭くなるように連結部材のリング方向に沿って移動することによって、使用者の体格に応じた適切な状態での装着を可能にしたベビーキャリアを提供することができる。
さらに、子供用の椅子から大人用の椅子の背凭れの高さや形状などを問わずに、あらゆる椅子に体に対して幼児をより安定性良くしっかりと保持させることができるベビーキャリアを提供することができる。
【図面の簡単な説明】
【００１４】
【図１】本実施形態に係るベビーキャリアを後側から見たときの状態を示す背面斜視図である。
【図２】幼児を対面抱っこの状態で保持したときの使用例を示し、（ａ）は、側面図であり、（ｂ）は、背面図である。
【図３】幼児を子供用の椅子に保持させたときの使用例を示し、（ａ）は、斜め前方からの斜視図であり、（ｂ）は、同背面図である。
【図４】幼児を大人用の椅子に保持させたときの使用例を示し、（ａ）は、斜め前方からの斜視図であり、（ｂ）は、同背面図である。
【図５】他の実施形態に係るベビーキャリアを後側から見たときの状態を示す背面斜視図である。
【考案を実施するための形態】
【００１５】
以下、本考案の実施形態について、適宜図面を参照しながら詳細に説明する。
図１は、本実施形態に係るベビーキャリアを後側から見たときの状態を示す背面斜視図であり、図２は、幼児を対面抱っこの状態で保持したときの使用例を示す側面図および背面図である。
【００１６】
≪ベビーキャリアの構成≫
ベビーキャリアＡは、図１および図２に示すように、幼児ｂを保持するためのキャリア本体１と、このキャリア本体１の上端両側に取り付けられる左右の肩掛けベルト２と、キャリア本体１の下端両側に取り付けられる腰ベルト３とを備えて構成されている。
【００１７】
また、ベビーキャリアＡは、図１および図２に示すように、肩掛けベルト２が取り付けられるキャリア本体１の上端両側に縫着により取り付けられ、雄雌一対のバックル５ａ，５ｂによって係脱自在なープ状に連結される補助ベルト４を備えている。
この補助ベルト４は、幼児ｂの上半身に巻き付けるように装着されるもので、幼児ｂをより安全にサポートすることができるようにしている。
なお、この補助ベルト４は、一方のベルトの長さ方向途中に備えられているバックルによってベルト長さが任意に調節されるようになっている。これにより、幼児ｂの体格に合せてベルト長さを自在に調節し得る。
【００１８】
≪キャリア本体の構成≫
キャリア本体１は、例えば、通気性に優れ、柔らかなディンプル生地などから内張り素材の表面側に撥水性に優れた外張り素材が宛がわれているシート地材を用いて形成されている。
このキャリア本体１は、図１および図２に示すように、幼児ｂの背中全体を包み込むための背当て部１ａと、この背当て部１ａから延設されている幼児ｂの尻を受けるための尻受け部１ｂとから、上端辺部側を広く、下端辺部側に至るにしたがって狭くなる縦長で逆向きの略台形形状に形成されている。さらに、尻受け部２ｂには使用者Ｂの下腹部に宛がわれるウエストパット６が縫着などによって備えられており、このウエストパット６の両側に腰ベル３が取り付けられるようになっている。
【００１９】
また、キャリア本体１は、腰ベルト３が取り付けられる下端側から尻受け部１ｂと背当て部1ａとの略境部に至る範囲における両側を、図１に示すように、略半月形状（略弓形）にすることで、当該両側に幼児ｂの太股を保持する足保持部１２を備えている。また、この足保持部１２と背当て部１ａとの境部における両側部位には足保持部１２から連なるように側方に向けて略山形形状に延設させたベルト連結部７を備えている。
このベルト連結部７には、図１に示すように、雌側バックル８ｂがそれぞれ取り付けられて、左右の肩掛けベルト２の後記する左右の連結ベルト２ｂ側に備えられている雄側バックル８ａがそれぞれ係脱自在に連結されるようになっている。
【００２０】
このような構成によって、図２の（ａ）に示すように、幼児ｂを対面抱っこ状態で保持したときに、両側の足保持部１２が、使用者Ｂの下腹部の両側に向けた略Ｕ字形状や略Ｃ形形状の形態となって幼児ｂの太股を保持する。
すなわち、腰ベルト３によって使用者Ｂの下腹部に当接されるウエストパット６の両側（腰バンド３の両取付部）と左右の肩掛けベルト２の左右の連結ベルト２ｂが雄雌一対の両バックル８ａ，８ｂによって連結される両側のベルト連結部７との間で幼児ｂの両太股が使用者側に引き付けられるように保持されることで、対面抱っこ状態での幼児ｂの保持安定性が、後記するキャリア本体１の片側３点、両側計６点による使用者Ｂの身体への支持との相乗作用によってさらに向上されるようにしている。
【００２１】
そして、尻受け部１ｂに縫着などによって取り付けられるウエストパット６は、内側に所望な材料か板状に形成され、適宜の可撓性を有する芯材（図示省略）が内在されている。
これにより、腰ベルト３を使用者Ｂの腰に巻き付け装着したときに、図２の（ａ）に示すように、ウエストパッド５が使用者Ｂの下腹部に当接（密接）して幼児ｂの尻をより安定よく保持する。
【００２２】
≪肩掛けベルトの構成≫
肩掛けベルト２は、キャリア本体１と同じシート地材を用いて適宜の幅と長さを有する帯形状に形成されて、一端側がキャリア本体１の上端両側に縫着によってそれぞれ取り付けられる。
そして、肩掛けベルト２は、図１および図２の（ｂ）に示すように、使用者Ｂの背中において略Ｘ字状に交差される当該交差部における他端側をそれぞれ連結するための連結部材２ａを備えている。
また、肩掛けベルト２は、キャリア本体１両側のベルト連結部７の雌側バックル８ａに対して係脱自在に連結される雄側バックル８ｂを一端側に備えている左右の両連結ベルト２ｂをさらに備え、この左右の両連結ベルト２ｂの他端側が、図１および図２の（ｂ）に示すように、連結部材２ａにリング方向に移動可能に連結されるようにしている。
【００２３】
また、肩掛けベルト２の他端側には、図１に示すように、連結部材２ａに対し、リング方向に移動可能にそれぞれ連結させるためのループ部９を備えている。
このループ部９は、縫着などによって連結部材２ｂのリング断面径に相当する大きさに縫着などによって形成されている。これにより、肩掛けベルト２の他端側は、連結部材２ａのリング方向に沿って移動し得るようになっている。
【００２４】
≪連結部材の構成≫
連結部材２ａは、合成樹脂材料などの所望な硬質材料によって適宜の太さとリング径を有するリング形状に形成されている。具体的には、図２の（ｂ）に示すように、使用者Ｂの一方の肩からと一方の脇腹付近から、そして他方の肩からと他方の脇腹付近から斜め（対角線上）にそれぞれ掛けわたされて背中の略中央部位で略Ｘ字状に交差される左右の肩掛けベルト２と左右の両連結ベルト２ｂとの交差形態を保つことができるリング径にて形成されている。
つまり、連結部材２ａは、図２の（ａ）に示すように、幼児ｂを前側抱っこの状態で保持する使用のときに、使用者Ｂの両肩にそれぞれ掛けられる肩掛けベルト２がずり落ちたりしないように、肩掛けベルト２を、使用者Ｂの背中の中央方向の斜めに向けて連結ベルト２ｂと交差させる交差形態を保ちながら、なおかつ、交差形態の範囲において使用者Ｂの肩幅や腰周りを含めた両脇腹などの体格（体形）の違いに応じて交差角度を変更し得るように、肩掛けベルト２と連結ベルト２ｂとをそれぞれリング方向に移動可能に連結するように形成されている。
【００２５】
≪連結ベルトの構成≫
連結ベルト２ｂは、周知の素材から、例えば、合成繊維などの丈夫な素材によって適宜の長さを有する帯板状に編み込み形成されている。
そして、図１に示すように、連結ベルト２ｂの一端側に至るベルト途中に雄側バックル８ａがそれぞれ備えられているとともに、他端側には連結部材２ａに対し、リング方向に移動可能にそれぞれ連結させるためのループ部１０を備えている。
ループ部１０は、連結部材２ａのリング断面径に相当する大きさに縫着などによって形成されている。これにより、連結ベルト２ｂの他端側は、連結部材２ａのリング方向に沿って移動し得るようになっている。
【００２６】
≪腰ベルトの構成≫
腰ベルト３は、左右の肩掛けベルト２の左右の両連結ベルト２ｂと同じ素材等によって適宜の長さと幅を有する帯状（ループ状）に形成されている。
この腰ベルト２ｂは、ウエストパット６が取り付けられている尻受け部１ｂの両側に、一端側が縫着により夫々取り付けられるとともに、他端側に至るベルト途中には雄雌一対のバックル１１ａ，１１ｂをそれぞれ備えている。
これにより、使用者Ｂの腰に巻き付けるように腰ベルト２ｃを装着することにより、尻受け部１ｂを、ウエストパット６を介して使用者Ｂの下腹部で支えるようにしている。また、バックル１１ａ，１１ｂの定着位置を変えることで、ベルト長さを使用者Ｂの体格に合わせて任意に調節可変し得るようにしている。
【００２７】
つぎに、以上のように構成されている本実施形態に係るベビーキャリアＡの使用について簡単に説明する。
図３および図４は、幼児を子供用の椅子と一般の大人用の椅子に保持させた状態を示す斜視図および背面図である。ここで、図２および図３を適宜参照しながら説明する。
【００２８】
まず、ベビーキャリアＡを使用者Ｂの身体に装着するときについて説明すると、幼児ｂをキャリア本体１に包み込んだ状態で、左右の肩掛けベルト２を両肩にそれぞれ掛けるとともに、左右の連結ベルト２ｂに備えられている雄側バックル８ａをキャリア本体１両側に備えられている雌側バックル８ｂに嵌め込み係止させて連結ベルト２ｂの一端側をキャリア本体１両側のベルト連結部７にそれぞれ連結し、さらに、腰ベルト３を腰に巻き付け装着するように腰ベルト３に備えられている雄雌一対のバックル１１ａ，１１ｂを互いに嵌め合せ連結させる。
これにより、図２に示すように、幼児ｂを使用者Ｂの身体正面方向（胸側）に向けた対面抱っこの状態で保持するキャリア姿勢をとることがきる。
このとき、使用者Ｂの両肩に掛けられて背中に向けられた左右の肩掛けベルト２と、使用者Ｂの腰上両脇腹近傍から背中に向けられた左右の両連結ベルト２ｂとは、それぞれリング方向に移動可能に連結されている接続部材２ａによって、図２の（ｂ）に示すように、使用者Ｂの背中の略中央部位において略Ｘ字状に交差された形態となる。
【００２９】
このような前側抱っこの状態において、使用者Ｂの両肩に掛けられている左右の肩掛けベルト２は、図２の（ｂ）に示すように、使用者Ｂの背中の略中央部位方向に引き込まれるように張られることによって、両肩から外側へのずり落ちることが阻止される。
また、キャリア本体１の尻受け部１ｂに保持されている幼児ｂの尻は、腰ベルト３によってキャリア本体１と使用者Ｂの腹部との間で保持されるとともに、ウエストパット６を介しての腰ベルト３による尻受け部１ｂの支持と、両連結ベルト２ｂを介して両肩掛けベルト２によるキャリア本体１両側のベルト連結部６の支持との両者間で、幼児ｂの太股（付け根付近）が保持される。
さらに、幼児ｂを包み込むように保持するキャリア本体１は、肩掛けベルト２による背凭れ部１ａと尻受け部１ｂとの上下２点支持と、腰ベルト３による背凭れ部１ａと尻受け部１ｂとの間に位置するベルト連結部６の１点支持との片側３点、両側計６点支持によって使用者Ｂの身体に支持される。
これにより、幼児ｂをより安全、安定性よく保持することができる。
なお、使用者Ｂの身体にベビーキャリアＡを装着するときの、左右の肩掛けベルト２と腰ベルト３との身体に対する装着順番は特に限定されるものではない。
【００３０】
そして、外出先などにおいて、乳幼児にミルクを飲ませる。お子様ランチなどの通常の食事を取る幼児には食事を与えるなどのときに、キャリア本体１を身体から外した場合には、外食店などに準備されている子供用の椅子Ｃやテーブルに備え付けの大人用の椅子Ｄの背凭れｃ−１，ｃ−２の前側に左右の肩掛けベルト２と腰ベルト３によってキャリア本体１を支持させて、図３および図４に示すように、幼児ｂを各椅子Ｃ，Ｄの背凭れｃ−１，ｄ−１の前側に、前向き抱っこの状態で保持させることができる。
このとき、図３および図４にそれぞれ示すように、左右の肩掛けベルト２を各椅子Ｃ，Ｄの背凭れｃ−１，ｄ−１の上辺部から背後（後側）へと掛け渡すとともに、左右の連結ベルト２ｂを背凭れｃ−１，ｄ−１の背後両側から前側に回して雄側バックル８ａをキャリア本体１両側の雌側バックル８ｂに嵌め込み係止させて連結ベルト２ｂの一端側をキャリア本体１両側のベルト連結部７に連結させ、この状態で各椅子Ｃ，Ｄの背凭れｃ−１，ｄ−１の大きさ（高さと幅）に合わせて左右の連結ベルトト２ｂの長さをそれぞれ調節可変する。そして、腰ベルト３を背凭れｃ−１，ｄ−１の下側に巻き付けるように装着し、腰ベルト３の連結ループ長さを調節可変することで、尻から胸部付近にかけて包み込むように幼児ｂを保持するキャリア本体１を各椅子Ｃ，Ｄの背凭れｃ−１，ｄ−１に支持させることができる。
この支持状態では、図３および図４に示すように、幼児ｂの腹部から胸部は、左右の肩掛けベルト２と左右の連結ベルト２ｂによる片側２点、両側４点支持によって背凭れｃ−１，ｄ−１側に引き寄せられるように支持され、そして、幼児ｂの尻は、腰ベルト３による片側１点、両側２点支持によって背凭れｃ−１，ｄ−１側に引き寄せられるように支持されることから、乳幼児や座った姿勢を保つ状態まで身体が座らない幼児ｂなどを、子供用の椅子Ｃや大人用の椅子Ｄにしっかり保持させることができる。
これにより、外食店の子供用の椅子Ｃから大人用の椅子Ｄなどの各椅子の大きさやその背凭れ形状などに合わせ、なおかつ、座部ｃ−２,ｄ−２に座らせた前向きの状態で幼児ｂを子供用の椅子Ｃから大人用の椅子Ｄに保持させることができるために、使用者Ｂは安心して食事することができる。
なお、椅子Ｃ，ＤにベビーキャリアＡを装着するときの、左右の肩掛けベルト２と腰ベルト３の背凭れｃ−１，ｄ−１などに対する装着順番は特に限定されるものではない。
【００３１】
図５は、他の実施形態に係るベビーキャリアを後側から見たときの状態を示す背面斜視図である。
この実施形態に係るベビーキャリアＡは、図５に示すように、キャリア本体１の上端両側に左右の肩掛けベルト２の一端側が左右の調節具２０、左右の調節ベルト２１を介してそれぞれ長さ調節自在に取り付けられている。その他の構成は前記した実施形態と基本的に同じであり、同一符号を付することで重複説明を省略する。
すなわち、キャリア本体１の上端両側に左右の調節具２０が取り付けられており、この左右の調節具２０に左右の調節ベルト２１を介して左右の肩掛けベルト２の一端側が取り付けられている。
【００３２】
調節具２０は、前記の雄雌一対のバックル８ａ，８ｂと同じ材料によって周知の構造（形状）に形成されており、図５に示すように、キャリア本体１の上端両側に縫着などによってそれぞれ取り付けられる。
【００３３】
調節ベルト２１は、前記の連結ベルト２ｂと同じ素材によって適宜の長さを有する帯板状に編み込み形成されており、その一端側が左右の肩掛けベルト２の一端側に縫着などによってそれぞれ取り付けられている。そして、その他端側が調節具２０に折り返すよう通されて、該調節具２０に長さ調節自在に連結されるようになっている。
【００３４】
このように、他端側が連結部材２ａに連結されている左右の肩掛けベルト２の一端側を、キャリア本体１の上端両側に長さ調節自在に取り付けることで、前記の実施形態詳述のように、外食店などにおいて子供用の椅子Ｃや大人用の椅子Ｄに幼児ｂを座らせるときに、キャリア本体１の上端両側の調節具２０から、図３の（ｂ）および図４の（ｂ）のように背凭れｃ−１，ｄ−１の背後に位置する連結部材２ａに至る肩掛けベルト２の長さを、子供用の椅子Ｃや大人用の椅子Ｄの背凭れｃ−１，ｄ−１の高さに合わせて調節することで、背凭れｃ−１，ｄ−１の高さ問わずに、肩掛けベルト２が弛むことなく、張りを持たせた状態で腰ベルト３とともに幼児ｂを子供用の椅子Ｃから大人用の椅子Ｄの背凭れｃ−１，ｄ−１に対して保持させることができる。
つまり、子供用の椅子Ｃから大人用の椅子Ｄの背凭れｃ−１，ｄ−１の高さなどを問わずに、あらゆる椅子に対して幼児ｂをより安定性良くしっかりと保持させることができるものである。
【符号の説明】
【００３５】
Ａ      ベビーキャリア
１      キャリア本体
１ａ    背当て部
１ｂ    尻受け部
２      肩掛けベルト
２ａ    連結部材
２ｂ    連結ベルト
３      腰ベルト
４      補助ベルト
８ａ，８ｂ  雄雌一対のバックル（連結ベルト側）
１１ａ，１１ｂ  雄雌一対のバックル（腰ベルト側）
２０    調節具
２１    調節ベルト
Ｃ      子供用の椅子
Ｄ      大人用の椅子
【図１】
0003154408.tif 000003
【図２】
0003154408.tif 000004
【図３】
0003154408.tif 000005
【図４】
0003154408.tif 000006
【図５】
0003154408.tif 000007